(57)【要約】      （修正有）【課題】接着剤が劣化しても外れにくく、かつ、配管作業が簡易であることを可能とする環境試験装置用配管部材を提供すること。【解決手段】管の内側にねじ溝を有する直管Ａと、外径が直管Ａの内径と同じであって直管Ａのねじ溝４と螺合するねじ山を有して軸方向のスリットが一又は二以上設けてある直管Ｂからなり、直管Ａと直管Ｂを、両直管の全長が伸縮可能に嵌合して、配管後に接着剤を当該スリットに流し込んで直管Ａと直管Ｂを接着し固着しうる。【選択図】図１
0003106401.tif 000002
【実用新案登録請求の範囲】
【請求項１】
管の内側にねじ溝を有する直管Ａと、外径が直管Ａの内径と同じであって直管Ａのねじ溝と螺合するねじ山を有する直管Ｂからなり、直管Ａと直管Ｂを、緩効性の接着剤を塗布した後に、両直管の全長が伸縮可能に嵌合して、配管後に固着しうることを特徴とする環境試験装置用配管部材。
【請求項２】
管の内側にねじ溝を有する直管Ａと、外径が直管Ａの内径と同じであって直管Ａのねじ溝と螺合するねじ山を有して軸方向のスリットが一又は二以上設けてある直管Ｂからなり、直管Ａと直管Ｂを、両直管の全長が伸縮可能に嵌合して、配管後に接着剤を当該スリットに流し込んで直管Ａと直管Ｂを接着し固着しうることを特徴とする環境試験装置用配管部材。
【請求項３】
管の内側にねじ山を有する直管Ａと、外径が直管Ａの内径と同じであって直管Ａのねじ山と螺合するねじ溝を有する直管Ｂからなり、直管Ａと直管Ｂを、緩効性の接着剤を塗布した後に、両直管の全長が伸縮可能に嵌合して、配管後に固着しうることを特徴とする環境試験装置用配管部材。
【請求項４】
管の内側にねじ山を有する直管Ａと、外径が直管Ａの内径と同じであって直管Ａのねじ山と螺合するねじ溝を有して軸方向のスリットが一又は二以上設けてある直管Ｂからなり、直管Ａと直管Ｂを、両直管の全長が伸縮可能に嵌合して、配管後に接着剤を当該スリットに流し込んで直管Ａと直管Ｂを接着し固着しうることを特徴とする環境試験装置用配管部材。
【考案の詳細な説明】
【技術分野】
【０００１】
本考案は、環境試験装置用配管部材に関する。
【背景技術】
【０００２】
従来の環境試験装置用配管部材では、ソケットで接着して配管と配管をつなぎ合わせていた（例えば、特許文献１参照）。
【特許文献１】特開２００３−１０６９８５号公報（００１１段落）
【０００３】
しかし、従来の環境試験装置用配管部材においては、内管と外管の接触部分が、内管の先端のみであり、固着力が弱く、よって、接着剤の劣化後、振動等で外れてしまう恐れがあるという問題があった。
【０００４】
さらに、内管と外管を合計した長さよりも両管を挿入するためのスペースが短いとき、従来の環境試験装置用配管部材においては、無理に両管を押し込ませてつなぎ合わせる必要があり、よって内管と外管のみならず周囲の配管部材にも無理な応力がかかってしまい、割れの原因となるなど、配管作業が困難であるという問題があった。
【考案の開示】
【考案が解決しようとする課題】
【０００５】
本考案は、かかる問題を鑑みてなされたものであり、したがって、本考案の目的は、接着剤が劣化しても外れにくく、かつ、配管作業が簡易であることを可能とする環境試験装置用配管部材を提供することにある。本考案者らは、上記の目的を達成するために鋭意研究を重ねた結果、試行錯誤の上、本考案を完成するに至った。
【課題を解決するための手段】
【０００６】
上記目的を達成するために、本考案の環境試験装置用配管部材は、管の内側にねじ溝を有する直管Ａと、外径が直管Ａの内径と同じであって直管Ａのねじ溝と螺合するねじ山を有する直管Ｂからなり、直管Ａと直管Ｂを、緩効性の接着剤を塗布した後に、両直管の全長が伸縮可能に嵌合して、配管後に固着しうることを特徴とするものである。
【０００７】
本考案の環境試験装置用配管部材は、また、管の内側にねじ溝を有する直管Ａと、外径が直管Ａの内径と同じであって直管Ａのねじ溝と螺合するねじ山を有して軸方向のスリットが一又は二以上設けてある直管Ｂからなり、直管Ａと直管Ｂを、両直管の全長が伸縮可能に嵌合して、配管後に接着剤を当該スリットに流し込んで直管Ａと直管Ｂを接着し固着しうるものであることが好ましい。
【０００８】
本考案の環境試験装置用配管部材は、管の内側にねじ山を有する直管Ａと、外径が直管Ａの内径と同じであって直管Ａのねじ山と螺合するねじ溝を有する直管Ｂからなり、直管Ａと直管Ｂを、緩効性の接着剤を塗布した後に、両直管の全長が伸縮可能に嵌合して、配管後に固着しうるものでもよい。また、管の内側にねじ山を有する直管Ａと、外径が直管Ａの内径と同じであって直管Ａのねじ山と螺合するねじ溝を有して軸方向のスリットが一又は二以上設けてある直管Ｂからなり、直管Ａと直管Ｂを、両直管の全長が伸縮可能に嵌合して、配管後に接着剤を当該スリットに流し込んで直管Ａと直管Ｂを接着し固着しうるものでもよい。
【考案の効果】
【０００９】
本考案の環境試験装置用配管部材は、上述したとおりであるので、接着剤が劣化しても外れにくく、かつ、配管作業が簡易であることを可能とする。
【考案を実施するための最良の形態】
【００１０】
本考案の最良の実施例について、以下に図を用いて詳細に述べる。
【実施例１】
【００１１】
図１は、本考案の環境試験装置用配管部材の実施例１の直管Ａの斜視図である。図２は、本考案の環境試験装置用配管部材の実施例１の直管ＡのＡ−Ａ’線断面図である。図３は、本考案の環境試験装置用配管部材の実施例１の直管Ａの構造図である。図４は、本考案の環境試験装置用配管部材の実施例１の直管Ｂの斜視図である。図５は、本考案の環境試験装置用配管部材の実施例１の直管ＢのＢ−Ｂ’線断面図である。図６は、本考案の環境試験装置用配管部材の実施例１の直管Ａと直管Ｂの組み合わせの斜視図である。図７は、本考案の環境試験装置用配管部材の実施例１の直管Ａと直管Ｂの組み合わせのＣ−Ｃ’線断面図である。
【００１２】
本考案の実施例１の環境試験装置用配管部材（６）は、図１、図２及び図３に示した本考案の実施例１の直管Ａ（１）と、図４及び図５に示した本考案の実施例１の直管Ｂ（２）とからなる。本考案の実施例１の直管Ａ（１）は、管の内側にねじ溝（４）を有する、外管である。本考案の実施例１の直管Ｂ（２）は、外径が直管Ａ（１）の内径と同じであって直管Ａ（１）のねじ溝（４）と螺合するねじ山（３）を有する、内管である。直管Ａ（１）と直管Ｂ（２）を、緩効性の接着剤を塗布した後に、両直管の全長が伸縮可能に嵌合して、配管後に固着しうる。組み合わせた状態は、図６及び図７に示した。
【００１３】
ソケットでは、内管の先端しか外管に接触しないのに比して、本考案の実施例１においては、入り口から先端部まで接触するため、より外れにくい。
【００１４】
本考案の実施例１の環境試験装置用配管部材（６）は、接着剤が劣化しても外れにくく、かつ、配管作業が簡易であることを可能とする。
【実施例２】
【００１５】
図８は、本考案の環境試験装置用配管部材の実施例２の直管Ｂの斜視図である。図９は、本考案の環境試験装置用配管部材の実施例２の直管ＢのＤ−Ｄ’線断面図である。本考案の実施例２の環境試験装置用配管部材（６）は、図１、図２及び図３に示した本考案の実施例１と同じである本考案の実施例２の直管Ａ（１）と、図８及び図９に示した本考案の実施例２の直管Ｂ（２）とからなる。直管Ｂ（２）には、接着剤を流し込むためのスリット（５）を有する。
【００１６】
本考案の実施例２の環境試験装置用配管部材（６）は、直管Ａと直管Ｂを、両直管の全長が伸縮可能に嵌合して、配管後に接着剤を当該スリットに流し込んで直管Ａと直管Ｂを接着し固着しうる。
【００１７】
本考案の実施例２の環境試験装置用配管部材（６）は、接着剤が劣化しても外れにくく、かつ、配管作業が簡易であることを可能とする。
【実施例３】
【００１８】
図１０は、本考案の環境試験装置用配管部材の実施例３の直管Ａの構造図である。図１１は、本考案の環境試験装置用配管部材の実施例３の直管Ｂの斜視図である。本考案の実施例３の環境試験装置用配管部材（６）は、図１０に示した本考案の実施例３の直管Ａ（１）と、図１１に示した本考案の実施例３の直管Ｂ（２）とからなる。図１１におけるＢ−Ｂ’線断面の図は、図５と同様となる。
【００１９】
本考案の実施例３の環境試験装置用配管部材（６）は、入り口部分がねじをきってないため、密着性に優れている。したがって、外れにくい上に、水漏れもしにくい。
【００２０】
本考案の実施例３の環境試験装置用配管部材（６）は、接着剤が劣化しても外れにくく、かつ、配管作業が簡易であることを可能とする。
【図面の簡単な説明】
【００２１】
【図１】本考案の環境試験装置用配管部材の実施例１の直管Ａの斜視図である。
【図２】本考案の環境試験装置用配管部材の実施例１の直管ＡのＡ−Ａ’線断面図である。
【図３】本考案の環境試験装置用配管部材の実施例１の直管Ａの構造図である。
【図４】本考案の環境試験装置用配管部材の実施例１の直管Ｂの斜視図である。
【図５】本考案の環境試験装置用配管部材の実施例１の直管ＢのＢ−Ｂ’線断面図である。
【図６】本考案の環境試験装置用配管部材の実施例１の直管Ａと直管Ｂの組み合わせの斜視図である。
【図７】本考案の環境試験装置用配管部材の実施例１の直管Ａと直管Ｂの組み合わせのＣ−Ｃ’線断面図である。
【図８】本考案の環境試験装置用配管部材の実施例２の直管Ｂの斜視図である。
【図９】本考案の環境試験装置用配管部材の実施例２の直管ＢのＤ−Ｄ’線断面図である。
【図１０】本考案の環境試験装置用配管部材の実施例３の直管Ａの構造図である。
【図１１】本考案の環境試験装置用配管部材の実施例３の直管Ｂの斜視図である。
【符号の説明】
【００２２】
１  直管Ａ
２  直管Ｂ
３  ねじ山
４  ねじ溝
５  スリット
６  環境試験装置用配管部材
【図１】
0003106401.tif 000003
【図２】
0003106401.tif 000004
【図３】
0003106401.tif 000005
【図４】
0003106401.tif 000006
【図５】
0003106401.tif 000007
【図６】
0003106401.tif 000008
【図７】
0003106401.tif 000009
【図８】
0003106401.tif 000010
【図９】
0003106401.tif 000011
【図１０】
0003106401.tif 000012
【図１１】
0003106401.tif 000013